(57)【特許請求の範囲】
【請求項１】
光源ネットワーク内の通信方法であって、
複数の光源を備えた光源ネットワークを設けるステップであって、各光源は、当該光源に関連付けられた制御モジュール（１、２、２３、２３’、２８、２８’）を有し、各制御モジュールは、
−  遠距離通信モジュールと、
−  近距離通信モジュールと、
−  地理座標モジュールと、
−  コントローラ（３９）と、を備え、
各制御モジュールは、前記光源の駆動装置を制御するための制御出力を提供するように動作可能である、前記光源ネットワークを設けるステップと、
センサ情報を生成するのに好適である少なくとも１つのセンサを少なくとも１つの制御モジュール上に設けるステップと、
前記遠距離通信モジュールを介して到達可能な少なくとも１つのサーバ（４）を設けるステップと、
前記制御モジュール（１、２、２３、２３’、２８、２８’）により提供される環境情報、光源情報、及び／又は制御モジュール情報に基づいて、前記制御モジュール（１、２、２３、２３’、２８、２８’）をいくつかの制御モジュール（１、２、２３、２３’、２８、２８’）のグループ（Ａ、Ｂ）に分割するステップと、
各グループ（Ａ、Ｂ）の前記制御モジュール（１、２、２３、２３’、２８、２８’）のうちの１つを、前記グループの全ての他の制御モジュール（１、２３、２８）がそれらの近距離通信モジュールを介して通信することができるグループコントローラ（２、２３’、２８’）として選択するステップと、
前記グループ（Ａ、Ｂ）内の前記制御モジュール（１、２、２３、２３’、２８、２８’）を含む近距離ネットワークを、それらの対応する近距離通信モジュールを介して形成するステップと、
前記光源ネットワークの正常動作中、前記グループコントローラ（２、２３’、２８’）から前記サーバに、それ自身の環境情報、光源情報、及び制御モジュール特有の情報、並びに前記他の制御モジュール（１、２３、２８）から前記近距離通信モジュールを介して受信した対応する情報のうちの１つを送信するステップと、
複数のグループ（Ａ、Ｂ）に関連するセンサ情報に基づくデータを以下の手法で送信するステップと、
を含み、
前記手法は、
−  前記サーバ（４）を飛ばして前記遠距離通信モジュールを介して第１のグループコントローラから第２のグループコントローラ（２３’、２８’）に、ただしセンサ情報に基づく前記データの後続の送信は、前記第２のグループコントローラから前記第２のグループコントローラに関連付けられた前記グループ（Ａ、Ｂ）の制御モジュール（１、２３、２８）に送信すること、
−  前記近距離ネットワークを介してグループコントローラから隣接するグループの制御モジュール（２３’、２８’）に送信すること、
−  前記近距離ネットワークを介してあるグループの制御モジュールから隣接するグループの制御モジュールに送信することのうちの少なくとも１つである方法。
【請求項２】
複数のグループに関連するデータの前記近距離ネットワークを介した伝送が、グループ内の正常動作とは異なる周波数帯域で行われる、請求項１に記載の方法。
【請求項３】
複数のグループ（Ａ、Ｂ）に関連するセンサ情報に基づくデータを送信する前記ステップは、前記センサ情報がイベントに関係する場合、前記イベントの空間的発生及び時間的発生のうちの少なくとも１つを条件として遂行される、請求項１又は２に記載の方法。
【請求項４】
各制御モジュールが、ニアフィールド通信モジュールを備えている、請求項１〜３のいずれか一項に記載の方法。
【請求項５】
前記近距離ネットワークが、メッシュネットワークである、請求項１〜４のいずれか一項に記載の方法。
【請求項６】
前記サーバにより、複数のグループに関連するデータを交換するための前記制御モジュール（１、２、２３、２３’、２８、２８’）を前記グループにかかわりなく選択するステップ、を更に含む、請求項１〜５のいずれか一項に記載の方法。
【請求項７】
正常動作中のグループ内の通信のため、及び複数のグループ（Ａ、Ｂ）に関連するセンサ情報に基づくデータを隣接するグループの制御モジュールに送信するために、前記近距離ネットワークの異なる周波数帯域が使用される、請求項１〜６のいずれか一項に記載の方法。
【請求項８】
前記異なる周波数帯域のために同じアンテナが使用される、請求項７に記載の方法。
【請求項９】
前記センサ（５０）が、赤外線センサ、動作センサ、音響センサ、及び振動センサのうちの少なくとも１つである、請求項１〜８のいずれか一項に記載の方法。
【請求項１０】
前記光源は街灯である、請求項１〜９のいずれか一項に記載の方法。
【請求項１１】
複数の光源を備えた光源ネットワークであって、各光源が、当該光源に関連付けられた制御モジュール（１、２、２３、２３’、２８、２８’）を有し、各制御モジュールが、
−  遠距離通信モジュールと、
−  近距離通信モジュールと、
−  地理座標モジュールと、
−  コントローラ（３９）と、を備え、
前記光源ネットワークが、請求項１〜１０のいずれか一項に記載の方法に従って通信する、光源ネットワーク。
【請求項１２】
前記光源は街灯である、請求項１１に記載の光源ネットワーク。
【発明の詳細な説明】
【技術分野】
【０００１】
本発明は、光源ネットワークを運用し、特に制御するための方法であって、光源が特に街灯である場合の方法に関する。
【背景技術】
【０００２】
技術の現状は、光源ネットワークがますますインテリジェントな制御システムを備えていることを示している。例えば、光源ネットワークは、遠隔管理システムにより運用することができ、遠隔管理システムでは、ＰＣ上の管理コンソールに接続されるセグメントコントローラとして知られるデバイスが、いくつかの光源をそれらの制御モジュールを介して制御する。セグメントコントローラは、光源内に組み込むには大きすぎ、制御対象の光源が近距離通信モジュールを介してセグメントコントローラと通信することができるように構成されなければならない。セグメントコントローラの障害は、光源ネットワークの制御障害につながる。最後に、セグメントコントローラにより制御可能な光源が多数あるので、光源ネットワークのレイテンシは比較的高く、この高レイテンシのため優先度の高いイベントは潜在的な更なるグループに適時に送信することができない。
【発明の概要】
【発明が解決しようとする課題】
【０００３】
本明細書に記載の発明は、起動するのがより容易であるだけでなく、通信の安定性の向上及び通信の高速化も保証する、光源ネットワークを運用するための方法を構築することを目的とする
【課題を解決するための手段】
【０００４】
この課題は、請求項１に記載の方法及び請求項１０に記載の物体により解決される。本発明の有利な実施形態は、上記請求項に言及する従属請求項及び以下の説明において説明する。
【０００５】
本発明による方法を使用して、ネットワークの設置を促進することができる。同時に、通信の安定性の向上及び通信の高速化が保証される。本発明によるネットワーク、特に街灯ネットワークを運用し、特に制御するための方法は、複数の制御モジュールを使用し、複数の制御モジュールの各々は、１つの光源に割り当てられるか、又は将来割り当てられ、複数の制御モジュールの各々は、遠距離通信モジュール（例えば、ＧＳＭ（登録商標）、ＧＰＲＳ、Ｉｒｉｄｉｕｍ、若しくは別のセルラーネットワーク、若しくはイーサネット（登録商標）接続）、近距離通信モジュール（ＺｉｇＢｅｅ（登録商標）、６ＬｏＷＰＡＮ、若しくは類似のもの）、好ましくはニアフィールド通信モジュール、ＧＰＳ、ＧＬＯＮＡＳＳ  Ｇａｌｉｌｅｏ、ＢｅｉＤｏｕ、又は他の特に衛星ベースの測位システムに基づいて制御モジュールの位置を決定する地理座標モジュール、コントローラ、及び付加的に制御出力（例えば、ＤＡＬＩ若しくは０ｒｅｓｐ．１〜１０Ｖに基づく）を備えている。制御モジュールのうちの少なくとも１つは、それぞれのセンサデータが２つ以上のグループに関連するセンサ情報を生成することができるセンサ（例えば、レーダー又は赤外線センサ）を備えている。制御出力は、光源、好ましくは街灯の発光体の駆動装置に制御信号を送信することができる。更に、ネットワークは、遠距離通信モジュールを介して到達することができる少なくとも１つのサーバを備えている。このサーバ上で、遠隔管理のための好適なソフトウェアが実行されてもよい。遠距離通信モジュールは、異なるネットワーク技法に基づくものであってもよい。例えば、これらは、セルラーネットワーク、ＩＰネットワーク、又は長距離ピアツーピアネットワークであってもよい。
【０００６】
ネットワークを設置及び／又は運用するために、制御モジュールは、いくつかの制御モジュールグループに分割される。この分割は、制御モジュールにより提供される環境、光源、及び／又は制御モジュールに関する情報に基づいている。特に、最大で２００個の制御モジュール、好ましくは５０個以下の制御モジュールが、１つのグループに割り当てられる。制御モジュールの、１つ又は複数の制御モジュールグループへの分割は、サーバにより行われることが好ましい。
【０００７】
環境情報としては、地理座標に加えて、近距離ネットワーク内の隣接する制御モジュールに関する情報（例えば、接続品質、及び／若しくは他のＲＦ特性、及び／若しくは近隣テーブル）、並びに／又は環境特有の情報（例えば、周囲の光強度）を考慮に入れてもよい。光源に関する情報は、使用する発光体、その駆動装置に関する情報、及び／又は割り当てられた光源に関する更なる詳細、例えば現在の光強度若しくは調光であってもよい。制御モジュール情報は、ＩＰアドレス又は別のＵＩＤ（一意的識別子）等の、特に制御モジュールの明確な特定のために使用される情報である。
【０００８】
本発明によれば、サーバは、グループごとに１つの制御モジュールをグループコントローラとして選択する。対応するグループの他の制御モジュールは、それらの近距離通信モジュールを使用してこのコントローラと通信する。これは、グループ内の通信には、対応する近距離通信モジュールが使用されることを意味する。グループ内において、グループの制御モジュールは、それらの対応する近距離通信モジュールを介して近距離ネットワーク、好ましくはメッシュネットワークを形成する。
【０００９】
ネットワークの正常動作中、グループコントローラは、それ自身の環境情報、光源情報、及び／又は制御モジュール（特有の）情報、並びに他の制御モジュールから受信した対応する情報のみを遠距離通信モジュールを介してサーバに送信することができる。この目的のため、正常動作とは、ネットワークの各制御モジュールがあるグループに割り当てられ、全ての制御モジュールがそれらの実際のタスクを遂行して光源を制御する、ネットワークの通常動作として理解される。両方、上記及び下記の方法については、情報の送信は、常に特定の通信プロトコルに基づく対応するデータの送信を通じて実行される。
【００１０】
本発明によれば、２つ以上のグループに関連する情報を隣接するグループ間で迅速に交換することができる。２つ以上のグループに関連する情報とは、特に、例えば自動車運転のための照明状況又は歩行者に関する、センサ情報又はセンサ情報に基づくデータである。技術の現状との比較における通信速度の増加は、それぞれの情報が、サーバを飛ばして直接遠距離ネットワークを介して隣接するグループのグループコントローラに送信されるか、又は直接近距離ネットワークを介して隣接するグループの制御モジュールに送信されることに基づく。
【００１１】
特に、この情報は、当該情報を生成したセンサを備えた制御モジュールから直接送信してもよい。プロトコル目的のために、サーバにそれぞれの情報を通知してもよい。
【００１２】
あるグループ内で正常動作中に使用される周波数帯域とは異なる周波数帯域が使用される場合、センサ情報に基づく複数のグループに関連するデータを、サーバを飛ばして直接近距離ネットワークを介して隣接するグループの制御モジュールに送信することができる。これは、近距離通信モジュールが好ましくは多重化能力を有するべきであることを意味する。
【００１３】
誤認警報を防止し、又は照明状況を最適化するために、イベントに基づくセンサ情報の送信は、該イベントの空間的発生及び／又は時間的発生を条件としてもよい。例えば、１台の車両のみが交差点に接近する場合はいかなる情報も送信されなくてもよい一方、２台以上の車両の接近が異なるセンサにより同じグループコントローラに信号伝達される場合、この情報は、隣接するグループに送信することができ、異なるグループの光源の輝度を増加することができる。
【００１４】
対応するソフトウェアが、複数のグループに関連するデータの交換のための制御モジュールをグループから独立して選択することができると、サーバにとって有益である。例えば、センサ情報を交換することになる制御モジュールが全体マップ上でマーキングされると、これをグラフィカルに支援することができる。これは、異なるグループに属する制御モジュールを備えた隣接するグループ同士の境界線上の大きな交差点がマーキングされ、接近する自動車の運転方向の光量を迅速に増加することを可能にする。当然ながら、この選択及び対応する通信パートナーは、例示的なリスト内のそれぞれのグループの影響を受けるメンバーに提供されることになる。
【００１５】
グループ内のそれぞれの制御モジュールが冗長に構成されているため、グループコントローラに障害が発生した場合、サーバは、新しいグループコントローラを容易に決定することができる。ひとたび新しいグループコントローラがグループ内で、すなわち近距離通信ネットワーク（ＰＡＮ＝パーソナルエリアネットワーク）のレベルで告知されると、グループコントローラとして定義されていない他の制御モジュールは、該グループコントローラを介して接続を確立する。これは、サーバが、システムを引き続き制御及び監視できることを意味する。同時に、グループごとに単一の制御モジュール（グループコントローラ）がアクティブであることで、全ての制御モジュールがそれぞれの遠距離モジュールを介してサーバと個別に通信するネットワークの場合よりも、費用が著しく低くなる。内部グループネットワークをメッシュネットワークとして構成することは、システム及びＰＡＮレベルの通信をよりフェイルセーフにする。
【００１６】
上記又は下記においてプロセスステップを説明するために「共に（ｗｉｔｈ）」が使用される場合、これは、関係するプロセスステップが同時的であることを必ずしも意味しない。むしろ、これらのプロセスステップは、同時的であってもよい（が、そうである必要はない）。
【００１７】
この場合、サーバは、必ずしも個別のハードウェアを有する個別のデータ処理システムではない。サーバはまた、遠隔管理プログラム内における単なるプロジェクト特有の分離であってもよい。サーバはまた、同じハードウェア上、又はクラウド内の仮想サーバであってもよい。
【００１８】
メッシュネットワークを構成するために、それぞれのグループコントローラがそのグループのメンバーについてのデータをサーバから受信し、グループコントローラが他のグループメンバーに対してそれ自身をグループコントローラとして規定するのが有利なことがある。代替的又は付加的に、他のグループメンバーが、通信経路又は所望のグループコントローラに関するデータを受信して、サーバとの通信及び複数のグループ間の通信に必ず問題がないようにしてもよい。
【００１９】
したがって、サーバにより提供される情報は、制御モジュールに同じグループの隣接する制御モジュールについて通知する、制御モジュールのための情報であってもよい。サーバは、例えば、それぞれの制御モジュールの地理座標を観察することにより、このデータを抽出してもよい。
【００２０】
新しい光源又は新しい制御モジュールが設置されるとき、及び／又はそれぞれの光源に対する保守作業後に、コミッショニング／起動の成功、例えば制御モジュールのグループネットワークへの組み込みの成功又はサーバとの連絡確立の成功を作業要員に信号伝達するために、制御モジュールは、ひとたび所望の状態に到達すると、所定の時間間隔又は決定可能な時間間隔にわたって該光源を異なる輝度レベルで動作させてもよい。
【００２１】
制御モジュールのうちの少なくとも１つは、その初期設置及び／又は再設置後に、グループ間のデータ送信に関する情報だけではなく、光源の動作のためのパラメータセットもサーバから受信することが好ましい。このセットは、例えば、調光曲線からなってもよい。
【００２２】
ネットワークのできる限り早い起動を遅延なく促進するために、制御モジュールは、まず起動した後に、他の制御モジュールがないか近距離ネットワークを自動的にスキャンし、それにより、近距離ネットワーク内のごく近位に隣接するモジュールを含む、隣接するモジュールの内部テーブルを生成してもよい。このリストは、後にサーバに送信されてもよい。特に、この隣接するモジュールの情報は、メッシュネットワークが構成され、グループコントローラが割り当てられた後に、他の光源特有の情報又は制御モジュール特有の情報と共に、サーバに送信されてもよい。
【００２３】
グループ内の理想的な、すなわち高速な通信は、新しい制御モジュールの数に応じて、グループのリクエストが所定の時間に遂行され、かつ／又は制御モジュールの環境に基づく近距離ネットワークを介したサーバによる初期化により遂行される場合に特に達成される。この目的のため、短時間にわたってメッシュネットワーク内の、グループコントローラを介したサーバへの通信を制限し、近距離モジュール及びそれぞれのプロトコルに基づくメッシュネットワーク内の観察及びごく近位に隣接するモジュールとの通信のみを許可することが有用かもしれない。これは、隣接するモジュールのテーブル又はリストを生成するのに役立ち、信号強度及び／又はそれぞれの隣接するモジュールとの接続品質に関する情報が同時に記録される。この情報は、キャッシュ及び／若しくは記憶され、次いでグループコントローラを介して送信されてもよく、又は制御モジュールの全ての遠距離通信モジュールがアクティブな場合は直接サーバに送信されてもよい。
【００２４】
サーバが好適なグループコントローラを選択し、理想的なグループを作成することができるようにするために、それぞれの制御モジュールに、近距離ネットワークにおけるそのＵＩＤ、遠距離ネットワークにおけるそのＩＰアドレス、ニアフィールドネットワークにおけるそのＵＩＤ、光源特有の情報、近距離ネットワーク内のいくつかの近隣物、特に近距離ネットワーク内の最大５０個、好ましくは最大１０個の隣接する制御モジュールの、それらのＵＩＤを含むデータ、及び／又は隣接する制御モジュールの接続品質、に関するデータをスキャンプロセス中に記録及び保存させ、次いでこの情報（データ）を所与の時間にグループコントローラを介してサーバに送信させるのが有益なことがある。制御モジュールがアクティブである場合、すなわちアクティブな遠距離ネットワークアクセスを備えている場合、サーバは、この情報を制御モジュールから直接受信してもよい。
【００２５】
次いで、ネットワークのコミッショニング、及びグループへの分割、及び／又はサーバ上でのグループコントローラの割当が、好ましくは自動的に遂行されるべきである。代替的又は付加的に、グループへの分割及び／又はグループコントローラの割当は、ユーザ入力により変更されてもよい。これは、例えば、サーバ上で実行されているプログラムがグループコントローラの曖昧な選択を生じさせる場合に有益である。
【００２６】
ネットワーク内のレイテンシを所望のレベル未満に保つために、好ましくはサーバ上で設定される定義可能な最大数の制御モジュールが、各グループに割り当てられるべきであり、２００個の制御モジュールが、潜在的な上限である。最大２０００個の光源による試験及びシミュレーションによると、これより大きいネットワークグループでは適切な動作及びネットワークステータスの定期検査を保証できないほどレイテンシが大きくなることが示されている。
【００２７】
好ましくは、制御モジュールの数は、グループごとに１５０個未満、特に５０個未満の制御モジュールであるべきである。
【００２８】
特に、グループコントローラの選択及び／又は制御モジュールのそれぞれのグループへの割当では、下記の事項に関するルールのうちの少なくともいくつかを考慮に入れてもよい：
−  アクティブな制御モジュールと非アクティブな制御モジュールの比率、
−  近距離ネットワーク内の隣接する制御モジュールの利用可能性、
−  ネットワークの不具合の数、
−  ネットワークの変更（削除された制御モジュールに対しての新しい制御モジュール）、
−  近距離ネットワーク内の接続品質の変化、
−  遠距離ネットワークプロバイダへの推定接続コスト、
−  隣接するグループ間のセンサデータの通信、
−  グループ内のレイテンシ（距離依存の遅延を含む）、
−  フォールバックオプション（障害が発生したグループコントローラの交換）、及び／又は
−  時間制御される減衰を考慮に入れる安定化構成部品。
【００２９】
これらのルールは、ＡＩシステムによりマッピング及びリンクされることが好ましい。これらのルールの単純な実装では、ロジック演算、例えばＡＮＤ／ＯＲ／ＮＯＲリンクを使用することができる。
【００３０】
更に、現行のグループコントローラに障害が発生した場合に一時一時停止状態からアクティブ状態に切り替わる少なくとも１つの交換用グループコントローラが制御戦略に従ってサーバにより定義されていると、フェイルセーフ性が高まる。
【００３１】
近距離ネットワークによる環境情報の検出及び正常動作目的の近距離ネットワーク内の通信（サーバとの通信）をより問題のないものにするためには、近距離ネットワーク内の対応する通信が該ネットワークの異なる周波数帯域上で行われるのが有益なことがある。これ（多重動作）のために同じアンテナを使用できることが好ましい。
【００３２】
上記及び下記のように設計された本発明によるネットワークはまた、対応する利点を有する。
【００３３】
本発明の更なる利点及び詳細な特徴については、以下の図面の説明を参照されたい。これらの概略図は、下記のものを示している。
【図面の簡単な説明】
【００３４】
【図１】本発明によるネットワーク。
【図２】本発明による別のネットワーク。
【図３】図２による、本発明による対象物の構成部品。
【図４】図２による、本発明による対象物の構成部品。
【発明を実施するための形態】
【００３５】
また下記の設計例の個々の技術的特徴を、上記の設計例、並びに独立請求項及び潜在的な更なる請求項の特徴と組み合わせて、本発明による対象物を形成することもできる。それが意味をなす場合、機能的に等価な要素には、同じ参照番号が与えられている。
【００３６】
本発明は、複数の照明器具を備えたネットワークを含み、各照明器具は、その動作を制御するためのコントローラ又は制御モジュール、及びサーバを有する。各コントローラは、ＧＳＭ（登録商標）モデム又は低出力無線ネットワーク（ＬＰＲＮ：Ｌｏｗ Ｐｏｗｅｒ  Ｒａｄｉｏ  Ｎｅｔｗｏｒｋ）により接続され、最も良好にサーバに通信することができる方法を決定する。ある好ましい実施形態では、コントローラは、グループコントローラを含む小規模ネットワークを形成することができ、グループコントローラは、小規模ネットワーク内で共有されるアクティブなＧＳＭ（登録商標）モデムを有し、プロバイダＧＳＭ（登録商標）ネットワークの全域でサーバとの通信はこのアクティブなＧＳＭ（登録商標）モデムを通じて行われる。
【００３７】
各コントローラがグループコントローラと通信するので、各小規模ネットワーク内に２つ以上のアクティブなＧＳＭ（登録商標）モデムが存在する必要はなく、コストを低減することができるという利点がある（ＧＳＭ（登録商標）ネットワークコスト）。各コントローラは、ＩＰｖ６プロトコルを使用する６ＬｏＷＡＮを使用するそのグループコントローラに対する通信にＬＰＲＮを使用する。結果として、各小規模ネットワークは、インターネットプロトコル・バージョン６（ＩＰｖ６）のネットワークを含み、該ネットワーク内の通信は、ＩＰｖ６プロトコルのみを使用する。
【００３８】
サーバは、ＩＰｖ６プロトコルを使用しても動作する。しかしながら、各グループコントローラからサーバに情報を送信するためにはＧＳＭ（登録商標）ネットワークが必要とされ、現時点ではこれらはインターネットプロトコル・バージョン４（ＩＰｖ４）のプロトコルを使用して動作している。これは、グループコントローラとサーバの間の通信が、ＧＳＭ（登録商標）ネットワーク上で送信されるためにＩＰｖ６からＩＰｖ４に変換され、次いでサーバで逆方向に再度変換される必要があることを意味する。加えるに、ＧＳＭ（登録商標）ネットワーク上の通信は、暗号化されセキュアであり、この暗号化は、好適な暗号プロトコルに従って提供される。
【００３９】
サーバは、ＧＳＭ（登録商標）ネットワーク上でグループコントローラから受信した暗号化通信を解読することができ、ＧＳＭ（登録商標）ネットワーク上でグループコントローラに送信するために通信を暗号化することもできる。これは、グループコントローラとサーバの間でエンドツーエンド（ｅｎｄ−ｔｏ−ｅｎｄ）暗号化された通信を提供する。
【００４０】
本発明の方法によれば、図１は、グループコントローラ２に割り当てられている多数の制御モジュール１を示す。グループコントローラ２のハードウェアは、制御モジュール１と同一である。しかしながら、それぞれのグループコントローラ２のみが、遠距離接続３を使用してサーバ４と通信することができる。典型的には、これは、現地のセルラーネットワークプロバイダへのアクセスであり、サーバは、これを通じてＩＰ−ＷＡＮに基づいてアクセス可能な状態にとどまることができる。サーバとグループコントローラの間の通信は、例えば、一般的なインターネットプロトコル（ＴＣＰ／ＩＰ）を介して遂行することができる。上記のように、この通信は、ＩＰｖ６プロトコルを使用しており、サーバとグループコントローラの間の通信は、ＧＳＭ（登録商標）ネットワーク上での送信のためのＩＰｖ６とＩＰｖ４の間のトンネリング、ＧＳＭ（登録商標）ネットワーク上でのＩＰｖ４を使用した通信、及びサーバにおけるＩＰｖ４とＩＰｖ６の間のトンネリングを伴う。
【００４１】
ＩＰｖ６とＩＰｖ４の間の変換／トンネリング及び逆方向への再度の変換／トンネリングの必要性はＧＳＭ（登録商標）ネットワークがＩＰｖ４で動作することに起因することが容易に理解されるであろう。しかしながら、将来、ひとたびＧＳＭ（登録商標）ネットワークがＩＰｖ６で動作するようになると、この変換／トンネリングは、もはや必要ではなくなるであろう。
【００４２】
本発明の他の実施形態では、グループコントローラ及びサーバがＧＳＭ（登録商標）ネットワークと同じバージョンのＩＰプロトコルに基づいて動作してもよいことも理解されるであろう。
【００４３】
グループ７内では、制御モジュールは、近距離接続６を介して互いに通信することができる。好ましくは、この通信は、ＩＥＥＥ８０２．１５．４規格、例えばＺｉｇＢｅｅ（登録商標）によるメッシュネットワークに基づくべきである。
【００４４】
個々のグループ７の制御モジュール１、２は、概して互いを見ることができず、したがって互いに干渉することがない。しかしながら、いくつかのグループの通信については、隣接箇所を有する制御モジュールが近距離接続８を使用してセンサデータ又は対応する情報をグループ間で共有／交換し、又は転送するためのものであることがある。その場合、これを使用して、光量の増大等の行為を開始することができる。あるいは、この通信にはまた、そのインターネット又はイントラネット上のＩＰアドレスを通じて互いを見ることができる対応するグループコントローラ２を使用してもよい。どの制御モジュールがどの他の制御モジュールと通信することができるか、及びこのモジュールがどのように通信することができるかに関する情報は、サーバ上で定義され、例えばグループ間の近距離通信の場合、特に各制御モジュールの多重化ユニットを用いて遂行される。
【００４５】
図２による本発明の別の設計例によれば、それぞれの制御モジュール２３及び２３’を有するいくつかの光源が、街路２４に沿って配置されている。これらの光源は、サーバ上で予め決定された光源又は制御モジュールのグループＡに属する。グループＡとグループＢの両方は、破線２６又は２７によりマーキングされている。グループＢは、街路２４に交わる交差街路２９に沿って配置された対応する制御モジュール２８又は２８’を有する光源を含む。内側の黒円３１及び３２は、アクティブな制御モジュール、グループコントローラを有する光源を示す。センサＳ１及びＳ２が、それぞれ制御モジュール２３及び２８に割り当てられている。センサとしては、何よりも、レーダーセンサ、赤外線センサ（特に受動型赤外線センサ）、又は街路２４若しくは２９内の誘導ループを検討することができる。これらは、接近する対象物を検出し、その結果、グループ内及びグループ間の両方の制御モジュールは、グループのそれぞれの街灯の光源を状況に適合させる。
【００４６】
例えば、街灯２３の制御モジュールのセンサＳ１が、接近する対象物、例えば自動車を検出し、グループＡの光強度が、制御モジュール２３及び２３’により増加され、この情報又は接近する自動車についての情報が、グループコントローラ２３’を介してグループＢのグループコントローラ２８’に送信される。その後、関連する光源２８又は２８’、すなわちサーバにより選択された光源の輝度も、調節される。あるいは、センサＳ１を備えた制御モジュール２３は、グループＢのグループコントローラ２８’又はこのグループコントローラに割り当てられた街灯の別の制御モジュール２８と直接通信してもよく、これは、この情報がネットワーク内で共有され、グループＢが適宜反応することを意味する。
【００４７】
第１のグループのそれぞれの制御モジュール、したがって対応する街灯の割当は、サーバ上で遂行されてもよく、これらは、隣接するグループのセンサのセンサ情報を提供されることになり、次いで該センサ情報はそれらを通じてグループ間で送信される。特にサーバ上では、この目的のために入力マスクが利用可能である。
【００４８】
上記の方法を実施するために使用することができる本発明による制御モジュールは、光源ヘッド部、例えば街灯の光源ヘッド部上に設置することができる個別のユニットとして設計されることが好ましい（図４を参照されたい）。外設される制御モジュールの重要な構成部品のうちのいくつかに関する更なる詳細については、図３を参照されたい。この分解図は、制御モジュール、頂部ハウジング部３３、及び底部ハウジング部３４を含む。底部ハウジング部は、光源の頂部上に嵌められた基部に、シール３６を用いて固定される。底部ハウジング部は、バヨネット型屈曲接触子３７を通じて基部に接続されている。これらの接触子３７は、ハウジング３４及び中央回路基板ユニット３８の位置内に固定されている。数ある中で、コントローラ３９、近距離通信モジュール及び遠距離通信モジュール、並びに特に地震波を検出するための加速度センサユニット４１が、この回路基板ユニット上に位置する。
【００４９】
この図は、ニアフィールドのＲＦＩＤ応答機の光源特有のデータを記録するために基部内の光源ハウジング側に設置することができるＲＦＩＤ読み取り機を示しておらず、ケーブル４０により接続される赤外線センサ５０も示していない。
【００５０】
図１又は２に示す本発明によるネットワークの街灯は、図４に示すように、貧配合コンクリート４４、基礎配管４５、又は密な充填材料４６を用いて地面に固定することができる。制御モジュール内の光源ヘッド部４８内又はその上にもしかすると設置される加速度センサは、地中を伝搬し、又は柱４９を介して面に沿って伝搬する地震波を容易に記録することができる。潜在的な接近する車両は、この場合グループコントローラとして指定された制御モジュール２に接続された受動型赤外線センサ５０を用いて特定することができる。加えるに、輝度センサ又は温度センサ等の更なるセンサを、光源ヘッド部４８上に設置することができる。
【図１】
0006715245.tif 000002
【図２】
0006715245.tif 000003
【図３】
0006715245.tif 000004
【図４】
0006715245.tif 000005